【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
ブレンダーのための筐体において、
前記ブレンダーのベース部に固定されるよう適合された本体部であって、対向する側壁と、当該側壁の各々から外方に延びるフランジとを備えた本体部と、
前記本体部に対して回動可能に固定され、開放位置と閉鎖位置との間で移動可能となっているカバーと、
前記カバーが閉鎖位置にあるとき前記カバーと前記本体部の前記フランジ部との間に位置づけられるガスケットと、
を備えたことを特徴とする筐体。
【請求項２】
前記ガスケットが、熱可塑性エラストマー材料から構成されていることを特徴とする請求項１に記載の筐体。
【請求項３】
前記本体部は、前記側壁の間に延びる後部壁と、上部壁と、前記ブレンダーのベース部に固定されるよう適合された底部と、を含み、
前記カバーは、対向する側壁と、前記カバーの前記側壁の間に延びる正面壁と、上部壁と、を含むことを特徴とする請求項１に記載の筐体。
【請求項４】
ブレンダーのための筐体において、
前記ブレンダーのベース部に固定されるよう適合された本体部と、
前記本体部に対して回動可能に固定され、開放位置と閉鎖位置との間で移動可能となっているカバーであって、後端部を有する対向する側壁と、前記側壁の間に延びる正面壁と、上部壁と、を含むカバーと、
封止用のガスケットと、を備え、
前記本体部は、対向する側壁と、前記側壁の間に延びる後部壁と、上部壁と、を含み、
前記本体部の前記側壁は、外方に延びるフランジであって、前記カバーの前記側壁の前記後端部を反映するよう形づけられたフランジを含み、
前記ガスケットは、前記本体部の前記側壁および前記上部壁の一部を覆うとともに、前記カバーが閉鎖位置にあるとき前記本体部と前記カバーとの間に配置されていることを特徴とする筐体。
【請求項５】
前記ガスケットは、前記本体部の前記側壁上の前記フランジの前方を向いた面上に配置されたへりを有し、
前記カバーの前記後端部は、前記カバーが閉鎖位置にあるとき前記ガスケットの前記へりに当接していることを特徴とする請求項４に記載の筐体。
【請求項６】
前記カバーは、前記正面壁に対向する前記上部壁の端部から下方に延びる後部フランジを含み、
前記後部フランジは、前記カバーの前記側壁の間で横方向に延びていることを特徴とする請求項５に記載の筐体。
【請求項７】
前記本体部の前記上部壁は、上方に延びる上部フランジを含み、
前記ガスケットは、前記上部フランジの後方を向いた面上に配置された上部分を含み、
前記カバー上の前記後部フランジは、前記カバーが閉鎖位置にあるとき前記ガスケットの前記上部分に当接していることを特徴とする請求項６に記載の筐体。
【請求項８】
前記ガスケットが、熱可塑性エラストマーから構成されていることを特徴とする請求項４に記載の筐体。
【請求項９】
ブレンダーのための筐体において、
前記ブレンダーのベース部に固定されるよう適合された本体部と、
前記本体部に対して回動可能に固定され、開放位置と閉鎖位置との間で移動可能となっているカバーと、
前記本体部に固定されるガスケットと、を備え、
前記本体部は、対向する側壁と、前記側壁の間に延びる後部壁と、を含み、
前記ガスケットは、前記本体部の側壁の底部分に沿うとともに前記後部壁の底部分を横切って延びる、筐体。
【請求項１０】
ブレンダーのための筐体において、
ブレンダーのベース部に固定されるよう適合された本体部であって、外方に延びるフランジを含む本体部と、
前記本体部に対して回動可能に固定され、開放位置と閉鎖位置との間で移動可能となっているカバーであって、内方に延びるフランジを含むカバーと、
前記外方に延びるフランジおよび前記内方に延びるフランジの一方の上に配置されたガスケットであって、前記カバーが閉鎖位置にあるときに前記外方に延びるフランジおよび前記内方に延びるフランジの双方の間で双方に当接するよう配置されているガスケットと、
を備えたことを特徴とする筐体。
【請求項１１】
前記本体部は、対向する側壁と、前記側壁の間に延びる後部壁と、上部壁と、を含み、
前記外方に延びるフランジは、前記側壁および前記上部壁から延びていることを特徴とする請求項１０に記載の筐体。
【請求項１２】
前記カバーは、対向する側壁と、前記側壁の間に延びる正面壁と、上部壁と、を含み、
前記内方に延びるフランジは、前記カバーの前記側壁および前記カバーの前記上部壁から延びていることを特徴とする請求項１１に記載の筐体。
【請求項１３】
前記カバーは、本体部の各側壁から外方に延びるソケットによって前記本体部に回動可能に接続されており、
前記ソケットは、前記カバーの各側壁における孔に受け入れられており、
前記ソケットおよび前記孔が、前記カバーの回転軸を画定していることを特徴とする請求項１２に記載の筐体。
【請求項１４】
前記本体部の前記外方に延びるフランジは、前記ソケットにより上部フランジおよび底部フランジに分割されており、
前記上部フランジは、前記ソケットから上方に延びており、
前記底部フランジは、前記ソケットから下方に延びていることを特徴とする請求項１３に記載の筐体。
【請求項１５】
前記カバーの前記内方に延びるフランジは、前記孔により上側フランジおよび下側フランジに分割されており、
前記上側フランジは、前記孔から上方に延びており、
前記下側フランジは、前記孔から下方に延びていることを特徴とする請求項１４に記載の筐体。
【請求項１６】
前記ガスケットは、前記底部フランジの前方を向いた面上および前記上部フランジの後方を向いた面上に配置されていることを特徴とする請求項１５に記載の筐体。
【請求項１７】
前記ガスケットが、熱可塑性エラストマーから構成されていることを特徴とする請求項１０に記載の筐体。
【請求項１８】
ブレンダーのための筐体であって、
対向する側壁、及び当該側壁の間で延びる壁を有し、前記ブレンダーに係合するように構成された本体部と、
前記本体部に固定され、開放位置と閉鎖位置との間で移動可能なカバーと、
前記本体部及びカバーの少なくとも一方に固定され、横方向に間隔をあけて配置された側部分、及び当該側部分の間で延びる底部分を有するガスケットと、
を備えている、筐体。
【請求項１９】
前記カバーは、前記本体部に対し、前記開放位置と閉鎖位置との間で回動可能に固定されている、請求項１８に記載の筐体。
【請求項２０】
前記ガスケットは、前記本体部に固定されている、請求項１８に記載の筐体。
【請求項２１】
前記ガスケットの少なくとも一部は、前記本体部の側壁の底部分に沿うとともに、前記本体部の前記後部壁の底部分を横切って延びている、請求項２０に記載の筐体。
【請求項２２】
前記ガスケットは、前記カバーに固定されている、請求項１８に記載の筐体。
【請求項２３】
前記ガスケットの少なくとも一部は、前記カバーの側壁の底部分に沿うとともに、前記カバーの前記正面壁の底部分を横切って延びている、請求項２２に記載の筐体。
【請求項２４】
モータを収容するベース部材と、
前記ベース部材に対する防音壁を提供する筐体と、
を備え、
前記筐体は、
前記ベース部材に選択的に固定された本体部と、
前記本体部に固定され、開放位置と閉鎖位置との間で移動可能なカバーと、
前記本体部の外側壁面または前記カバーの内側壁面の一方に固定されたガスケットであって、前記本体部の外側壁面が前記カバーの内側壁面に直接的に当接するのを防止するように構成されたガスケットと、
を備えている、ブレンダー。
【請求項２５】
前記本体部の外側壁面と前記カバーの内側壁面との直接的な当接の防止により、前記モータにより生成される前記本体部と前記カバーとの間の振動を低減する、請求項２４に記載のブレンダー。
【請求項２６】
前記ガスケットの少なくとも一部は、前記本体部の側壁の底部分に沿うとともに、前記本体部の前記後部壁の底部分を横切って延びている、請求項２５に記載の筐体。
【請求項２７】
ブレンダー筐体のためのガスケットであって、
第１端部及び第２端部を有する第１側部材と、
第１端部及び第２端部を有し、前記第１側部材から横方向に間隔をおいて配置される第２側部材と、
前記第１側部材の第２端部と前記第２側部材の第２端部との間で延び、前記ブレンダーに係合するように構成された底部材と、
を備えている、ガスケット。
【請求項２８】
前記第１側部材の第１端部と前記第２側部材の第１端部との間で延びる上部材をさらに備えている、請求項２７に記載のガスケット。
【請求項２９】
前記第１側部材、前記第２側部材、前記上部材、及び前記底部材は、単一の一体部分で形成されている、請求項２８に記載のガスケット。
【請求項３０】
前記ブレンダーに係合する前記底部材は、前記ブレンダーとの封止部を生成する、請求項２７に記載のガスケット。